(57)【要約】【課題】カート装置の天板の下方空間にテーブル什器の天板が入り込むようにしてカート装置を配置する場合に、執務者の作業位置によらず、電子機器の表示面を執務者から見やすくする手段を提供する。【解決手段】本発明に係るカート装置１０は、床面上を走行可能なベース部１１と、ベース部１１から上方へ突出して設けられてその長さを調整可能な支持基体１２と、平面視における一部が支持基体１２によって下方から支持された天板１４とを備え、天板１４は、前後方向前端１４ｂから前後方向後方側へ離間した位置が、支持基体１２によって下方から支持され、天板１４の前後方向後端部に、表示面１６４ａを有するタブレットＰＣ１６４が、上下方向に沿う軸の周りに回動可能に設けられたものである。【選択図】図１
2013017707.tif 000002
【特許請求の範囲】
【請求項１】
床面上を走行可能なベース部と、前記ベース部から上方へ突出して設けられてその長さを調整可能な支持基体と、平面視における一部が前記支持基体によって下方から支持された天板と、を備えるカート装置であって、
前記天板は、前後方向前端から前後方向後方側へ離間した位置が、前記支持基体によって下方から支持され、
前記天板の前後方向後端部に、表示面を有する電子機器が上下方向に沿う軸の周りに回動可能に設けられていることを特徴とするカート装置。
【請求項２】
前記電子機器が、前記天板の前後方向後端部に設けられて上方へ延びる支持軸によって、上下方向に沿う軸の周りに回動可能に支持されていることを特徴とする請求項１に記載のカート装置。
【請求項３】
前記支持基体が前記天板を支持する位置が、前記天板の前後方向後端から前後方向前方側へ離間した位置であることを特徴とする請求項１又は２に記載のカート装置。
【請求項４】
前記支持基体より前後方向前方側に、前記天板から前記ベース部まで達する空間が形成されていることを特徴とする請求項１から３の何れか１項に記載のカート装置。
【発明の詳細な説明】
【技術分野】
【０００１】
本発明は、オフィスや病院、公共施設等における執務空間にて物品の移動に使用されるカート装置に関するものである。
【背景技術】
【０００２】
オフィスや病院や公共施設等では、電子機器等の物品を用いて執務を行いながら、ある執務空間から他の執務空間への移動が必要となる場合がある。この場合、執務空間の間で電子機器等を移動させる手段としては、カート装置が広く用いられている。このカート装置は、キャスターを有して走行可能なベース部と、ベース部から上方へ延びる支柱と、支柱に支持されて電子機器等が載置される天板とを有するものである。そして、このカート装置としては、執務者の体格や執務態様に応じて天板の高さ位置を上下方向に調整できるよう、天板を支持する支柱を伸縮可能に構成したものが従来提唱されている。
【０００３】
ところで、このようなカート装置の使用に際しては、その配置場所の確保が問題となる。すなわち、例えば別々のカート装置を使用する複数の執務者が同じ執務空間に集まって執務を行う場合、当該執務空間に設置されたテーブル什器の周囲に複数台のカート装置が配置される。これにより、テーブル什器の周辺が煩雑になり、執務の妨げになるという問題が生じる。
【０００４】
そこで、テーブル什器の周囲にカート装置を配置しながら周辺のスペースが狭くならないように、カート装置の天板がテーブル什器の天板より上方に位置するように支柱の長さを調整した上で、カート装置の天板の下の空間にテーブル什器の天板が入り込むようにしてカート装置を配置し、カート装置の天板とテーブル什器の天板とが平面視で重なり合うように配置する方法が従来知られている（例えば、特許文献１を参照）。
【０００５】
そこで、テーブル什器の周囲にカート装置を配置する際には、カート装置の天板がテーブル什器の天板より上方に位置するように支柱の長さを調整した後、カート装置の天板の下方空間にテーブル什器の天板が入り込むようにして、カート装置をテーブル什器に突き合わせる。そうすると、カート装置の天板とテーブル什器の天板とが平面視で重なり合うようにしてカート装置が配置されるので、テーブル什器の周囲に広い空間を確保することができる。
【先行技術文献】
【特許文献】
【０００６】
【特許文献１】特開２０１０−１０４５７３号公報
【発明の概要】
【発明が解決しようとする課題】
【０００７】
しかし、従来のカート装置によれば、カート装置の天板の下方空間にテーブル什器の天板が入り込むようにしてカート装置を配置した場合、執務者の作業位置によっては電子機器の使い勝手が悪いという問題がある。
【０００８】
より詳細に説明すると、カート装置の天板の下方空間にテーブル什器の天板が入り込むようにしてカート装置を配置した場合、カート装置とテーブル什器との間で物品の積み降ろし等の作業を行う執務者は、天板の左右方向に位置して作業を行う。従って、この際には電子機器の表示面を執務者の側である左右方向側へ向けるのが好適である。
【０００９】
しかし、従来のカート装置では、電子機器の使用形態として、前後方向後方側に位置する執務者がカート装置を押して走行させながら電子機器を使用する形態しか想定されていない。従って、電子機器はその表示面を前後方向後方側に向けた状態とされ、表示面の向きを自在に変更することはできない。従って、電子機器の表示面が執務者から見難く、作業性が悪い。
【００１０】
本発明の課題は、このような事情を考慮してなされたものであり、カート装置の天板の下方空間にテーブル什器の天板が入り込むようにしてカート装置を配置する場合に、執務者の作業位置によらず、電子機器の表示面を執務者から見やすくする手段を提供する。
【課題を解決するための手段】
【００１１】
上記課題を解決するために、本発明は以下の手段を採用している。すなわち、本発明に係るカート装置は、床面上を走行可能なベース部と、前記ベース部から上方へ突出して設けられてその長さを調整可能な支持基体と、平面視における一部が前記支持基体によって下方から支持された天板と、を備えるカート装置であって、前記天板は、前後方向前端から前後方向後方側へ離間した位置が、前記支持基体によって下方から支持され、前記天板の前後方向後端部に、表示面を有する電子機器が上下方向に沿う軸の周りに回動可能に設けられていることを特徴とする。
【００１２】
このような構成によれば、天板の下方であって支持基体より前後方向前方側には空間が形成される。これにより、カート装置をテーブル什器に対して突き合わせる際に、テーブル什器の天板がこの空間に収容される。これにより、平面視においてカートの天板とテーブル什器の天板とが重なり合うようにしてカートを配置することができるので、テーブル什器の周辺の空間がカート装置によって狭くなることを最低限に抑えることができる。また、天板の前後方向後端部に設けられる電子機器は、上下方向に沿う軸の周りに回動可能に設けられているため、電子機器の表示面を執務者の側に向けることにより、執務者の作業位置によらず執務者から表示面を見やすくすることができる。
【００１３】
また、本発明に係るカート装置は、前記電子機器が、前記天板の前後方向後端部に設けられて上方へ延びる支持軸によって、上下方向に沿う軸の周りに回動可能に支持されていることを特徴とする。
【００１４】
このような構成によれば、支持軸を介して天板より上方に離間した位置に電子機器が配置されるので、天板の上に電子機器を直接載置する場合と比較して、電子機器によって占領される面積が減る分、天板の上を広く利用することができる。
【００１５】
また、本発明に係るカート装置は、前記支持基体が前記天板を支持する位置が、前記天板の前後方向後端から前後方向前方側へ離間した位置であることを特徴とする。
【００１６】
このような構成によれば、天板の下方であって支持基体より前後方向後方側に、空間が形成される。これにより、カート装置をテーブル什器に対して突き合わせた際に、作業を行う執務者は、自己の下肢をこの支持基体より前後方向後方側の空間に収容することができる。これにより、執務者はカート装置に近付いて作業を行いやすく、作業性が向上する。
【００１７】
また、本発明に係るカート装置は、前記支持基体より前後方向前方側に、前記天板から前記ベース部まで達する空間が形成されていることを特徴とする。
【００１８】
このような構成によれば、天板の下方であって支持基体より前後方向前方側に形成される空間は、天板からベース部まで連続するように形成される。これにより、作業を行う執務者は、自己の下肢をこの支持基体より前後方向前方側の空間にも収容することができる。これにより、執務者の作業性が一層向上する。
【発明の効果】
【００１９】
本発明に係るカート装置によれば、カート装置の天板の下方空間にテーブル什器の天板が入り込むようにしてカート装置を配置する場合に、執務者の作業位置によらず、電子機器の表示面を執務者から見やすくすることができる。
【図面の簡単な説明】
【００２０】
【図１】本発明の実施形態に係るカート装置の外観を示す概略斜視図である。
【図２】本発明の実施形態に係るカート装置の外観を示す概略側面図である。
【図３】本発明の実施形態に係る電子機器ユニットの動作説明図である。
【図４】本発明の実施形態に係るカート装置の使用状態を示す図であり、通常使用時の状態を示している。
【図５】本発明の実施形態に係るカート装置の使用状態を示す図であり、不使用時における格納状態を示している。
【図６】本発明の実施形態に係るカート装置について、通常使用時における種々の使用形態を示す説明図である。
【発明を実施するための形態】
【００２１】
以下、図面を参照し、本発明の実施の形態について説明する。まず、本発明の実施形態に係るカート装置の構成について説明する。図１及び図２は、本発明の実施形態に係るカート装置１０の外観を示す図であり、図１は概略斜視図、図２は概略側面図である。
【００２２】
カート装置１０は、図１及び図２に示すように、最下部を構成するベース部１１と、このベース部１１から突出して上方へ延びる支持基体１２と、支持基体１２の高さ方向中間部に設けられた複数の収納部材１３と、支持基体１２の上端部に設けられた天板１４と、天板１４から水平方向へ突出して設けられた操作ハンドル部１５と、天板１４から上方へ突出して設けられた電子機器ユニット１６と、天板１４から斜め下方へ突出して設けられた操作レバー部１７と、を備えるものである。
【００２３】
（ベース部）
ベース部１１は、カート装置１０に走行機能を持たせる役割を果たすものである。このベース部１１は、図１及び図２に示すように、基端部が互いに連結されて先端部が相異なる４方向へそれぞれ延びる４本の脚杆１１１と、これら脚杆１１１の先端部にそれぞれ取り付けられた４個のキャスター１１２とを有している。そして、４個のキャスター１１２は、脚杆１１１によって水平軸周りに回転可能にそれぞれ支持されるとともに、鉛直軸周りにもそれぞれ旋回可能に支持されている。これにより、ベース部１１及びこれを有するカート装置１０は、床面の上を任意の方向へ走行可能となっている。尚、本実施形態では、図１に矢印Ｐで示すように、操作ハンドル部１５から見た天板１４に向かう方向を、カート装置１０の「前後方向」と呼ぶこととする。また、この前後方向に直交する方向を、カート装置１０の「左右方向」と呼ぶこととする。
【００２４】
（支持基体）
支持基体１２は、ベース部１１と天板１４とを接続する役割を果たすものである。この支持基体１２は、図１及び図２に示すように、ベース部１１に固定された外側支柱１８と、天板１４に固定された内側支柱１９と、を備えるものである。
【００２５】
外側支柱１８は、図に詳細は示さないが中空の円筒形状を有し、その長手方向一端部がベース部１１の中心部に固定されている。一方、内側支柱１９は、図２に示すように、外側支柱１８より小径の円筒形状を有し、その外周面における前後方向前方側には、バンパー部材２０が長手方向に沿って設けられている。このバンパー部材２０は、内側支柱１９に作用する衝撃を吸収する役割を果たすものであって、ゴム等の弾性部材から形成されている。
【００２６】
そして、このように構成される内側支柱１９が、外側支柱１８の内部空洞に対して所定幅の隙間を介して嵌合されている。これにより内側支柱１９は、外側支柱１８の長手方向にスライド可能であって、外側支柱１８に対する相対位置を上下方向に調整可能となっている。また、図に詳細は示さないが、外側支柱１８の内部には、内側支柱１９を所定の位置で移動不能にロックするためのロック機構が設けられている。
【００２７】
このように構成される支持基体１２によれば、内側支柱１９を上下方向にスライドさせて外側支柱１８への嵌合深さを調整することにより、全体としての長さを伸縮させることが可能となっている。
【００２８】
（収納部材）
図２に示す収納部材１３は、執務に用いる各種の物品を収納する役割を果たすものである。この収納部材１３は、図１に示すように、支持基体１２の前後方向前方側に取り付けられる棚板２１と、支持基体１２の前後方向後方側に取り付けられる収納ボックス２２とを備えるものである。尚、この収納部材１３は任意の構成であって、収納部材１３を持たないカート装置１０として構成とすることも可能である。
【００２９】
図１に示す棚板２１は、使用頻度が比較的低い物品の収納に用いられるものである。この棚板２１は、図１及び図２に示すように、上面に物品載置面２１１ａが形成された棚板本体２１１と、この棚板本体２１１の底面に設けられた棚板取付金具２１２とを有している。
【００３０】
このように構成される棚板２１は、図２に示すように、その棚板取付金具２１２が外側支柱１８に係止されることにより、支持基体１２の前後方向前方側に装着される。本実施形態では、上下方向に沿って支持基体１２の２箇所に、棚板２１が取り付けられている。尚、棚板２１の数や形状は本実施形態に限定されず、適宜設計変更が可能である。
【００３１】
図１に示す収納ボックス２２は、使用頻度が高い物品の収納に用いられるものである。収納ボックス２２は、図１及び図２に示すように、上部が開口された筐体であるボックス本体２２１と、このボックス本体２２１の裏面に設けられた収納ボックス取付金具２２２とを有している。
【００３２】
このように構成される収納ボックス２２は、図２に示すように、その収納ボックス取付金具２２２が外側支柱１８に係止されることにより、支持基体１２の前後方向後方側に装着される。尚、収納ボックス２２の数や形状は本実施形態に限定されず、適宜設計変更が可能である。
【００３３】
（天板）
図１に示す天板１４は、その上面に物品載置面１４ａが形成された平板部材である。この天板１４は、図１及び図２に示すように、その底面における中心部に内側支柱１９の上端部が固定されることにより、平面視でその一部が支持基体１２によって下方から支持されている。より詳細には、天板１４は、その前後方向前端１４ｂから前後方向後方側へ離間した位置であって、且つ、その前後方向後端１４ｃから前後方向前方側へ離間した位置を、支持基体１２によって支持されている。
【００３４】
これにより、図１及び図２に示すように、天板１４の下方であって支持基体１２よりも前後方向前方側には、前部空間ＦＳが形成されている。また、天板１４の下方であって支持基体１２よりも前後方向後方側には、後部空間ＲＳが形成されている。
【００３５】
（操作ハンドル部）
操作ハンドル部１５は、図１に示すように、天板１４の前後方向後端部から前後方向後方へ突出する一対の取付バー１５１と、一対の取付バー１５１の先端部同士を互いに接続して前後方向に略直交して延びる操作バー１５２とを有している。そして執務者は、操作バー１５２を把持して操作することにより、カート装置１０を所定の方向へ走行させることが可能となっている。
【００３６】
（電子機器ユニット）
図１に示す電子機器ユニット１６は、天板１４に固定されたヒンジ１６１と、ヒンジ１６１によって支持された支持軸１６２と、支持軸１６２によって支持されたホルダ１６３と、ホルダ１６３によって保持されたタブレットＰＣ１６４（電子機器）とを備えるものである。
【００３７】
ヒンジ１６１は、図１及び図２に示すように、天板１４の前後方向後端１４ｃにおける幅方向中央部に固定されている。従って、ヒンジ１６１は、天板１４、一対の取付バー１５１、及び操作バー１５２によって包囲されるハンドル部空間ＨＳの内部に位置している。これにより、このヒンジ１６１との接触によって後述するテーブル什器ＴＪ等が損傷することを防止している。
【００３８】
支持軸１６２は、長尺な棒状の部材であって、その基端部がヒンジ１６１によって回動可能に支持されている。ここで、図３は、電子機器ユニット１６の動作説明図である。図３（ａ）に示すように、ヒンジ１６１に支持された支持軸１６２は、前後方向に直交する第一軸ＳＪ１の周りに回動可能となっている。そして、支持軸１６２は、図３（ａ）に実線で示すように天板１４に直交するように起立した状態から、図３（ａ）に二点鎖線で示すように天板１４に平行するように倒伏した状態までの回動が許容されている。
【００３９】
また、図３（ｂ）に示すように、ヒンジ１６１に支持された支持軸１６２は、公知の構造によって、カート装置１０の高さ方向に沿う第二軸ＥＪの周りにも自在に回動可能となっている。これにより、支持軸１６２を天板１４に直交するように起立させた状態において、図３（ｂ）に実線で示すようにタブレットＰＣ１６４の表示面１６４ａを前後方向後方に向けた状態から、図３（ｂ）に二点鎖線で示すようにタブレットＰＣ１６４の表示面１６４ａを前後方向前方に向けた状態までの間で、表示面１６４ａの向きを自在に変更することが可能となっている。そして、このように支持軸１６２を、第一軸ＳＪ１及び第二軸ＥＪの両軸の周りにそれぞれ回動可能としたことにより、平面視におけるタブレットＰＣ１６４の配置の自由度を高めることができる。
【００４０】
ホルダ１６３は、図１及び図２に示すように、支持軸１６２の先端部に回動可能に支持されている。より詳細には、図３（ａ）に示すように、支持軸１６２に支持されたホルダ１６３は、前後方向に直交する第三軸ＳＪ２の周りに回動可能となっている。従って、ホルダ１６３に保持されたタブレットＰＣ１６４は、図３（ａ）に実線で示すようにその表示面１６４ａが支持軸１６２と略平行になる状態から、図３（ａ）に二点鎖線で示すようにその表示面１６４ａが支持軸１６２と略直交する状態までの回動が許容されている。これにより、タブレットＰＣ１６４は、支持軸１６２に対する傾斜角度を自在に変更することが可能となっている。
【００４１】
そして、図に詳細は示さないが、支持軸１６２を天板１４に直交するように起立させた状態において、第三軸ＳＪ２の周りに回動するタブレットＰＣ１６４の移動軌跡は、平面視においてハンドル部空間ＨＳの内部に包含されている。これにより、タブレットＰＣ１６４との接触によって後述するテーブル什器ＴＪ等、並びにタブレットＰＣ１６４自体が損傷することを防止している。
【００４２】
このように構成される電子機器ユニット１６によれば、執務者は、タブレットＰＣ１６４を使用する時は、まず支持軸１６２を第一軸ＳＪ１の周りに回動させることによって天板１４に直交するように起立させる。次に執務者は、支持軸１６２を第二軸ＥＪの周りに回動させることにより、タブレットＰＣ１６４の表示面１６４ａを執務者の側に向ける。更に執務者は、ホルダ１６３を第三軸ＳＪ２の周りに回動させることにより、執務者の目線角度に応じてタブレットＰＣ１６４の表示面１６４ａの傾斜角度を適宜調節する。
【００４３】
尚、支持軸１６２の第一軸ＳＪ１周りの回動、支持軸１６２の第二軸ＥＪ周りの回動、及びホルダ１６３の第三軸ＳＪ２周りの回動を行う順序は、本実施形態の順序に限定されず、任意に入れ替えが可能である。
【００４４】
一方、執務者は、タブレットＰＣ１６４を使用しない時は、まずホルダ１６３を第三軸ＳＪ２の周りに回動させることにより、タブレットＰＣ１６４をその表示面１６４ａが支持軸１６２に略平行した状態とする。次に執務者は、支持軸１６２を第二軸ＥＪの周りに回動させることにより、タブレットＰＣ１６４を、その表示面１６４ａが前後方向後方に向いた状態とする。更に執務者は、支持軸１６２を第一軸ＳＪ１の周りに回動させて天板１４に平行するように倒伏した状態とする。これにより、電子機器ユニット１６を折り畳んで天板１４上にコンパクトに収納することができる。
【００４５】
尚、ホルダ１６３の第三軸ＳＪ２周りの回動、支持軸１６２の第二軸ＥＪ周りの回動、及び支持軸１６２の第一軸ＳＪ１周りの回動を行う順序も、本実施形態の順序に限定されず、任意に入れ替えが可能である。また、タブレットＰＣ１６４の不使用時には、ホルダ１６３からタブレットＰＣ１６４を取り外してもよい。
【００４６】
（操作レバー部）
図１に示す操作レバー部１７は、内側支柱１９のスライドを制御するロック機構（不図示）を操作するためのものである。すなわち、前述のように、外側支柱１８の内部には、スライド可能に設けられた内側支柱１９を任意の位置でスライド不能にロックするためのロック機構が設けられている。そして、執務者は、この操作レバー部１７を操作することにより、ロック機構による内側支柱１９のロックまたはロック解除を切り替えることが可能となっている。
【００４７】
（使用状態及びその作用効果）
次に、本発明の実施形態に係るカート装置１０の使用態様、及びその作用効果について説明する。図４及び図５は、本実施形態に係るカート装置１０の使用状態を示す図であり、図４は通常使用時の状態を、図５は不使用時における格納状態をそれぞれ示している。
【００４８】
カート装置１０は、図４に示すように、その通常使用時には内側支柱１９が外側支柱１８からある程度の長さだけ引き出された状態とされ、その天板１４の位置は、執務室に設置されたテーブル什器ＴＪの天板ＴＪａより高くなっている。ここで、このカート装置１０の天板１４の上に載置された物品（不図示）をテーブル什器ＴＪの天板ＴＪａの上に移し変える作業や、或いはテーブル什器ＴＪの天板ＴＪａの上に載置された物品（不図示）をカート装置１０の天板１４の上に移し変える作業を行う場合、執務者は、カート装置１０をテーブル什器ＴＪに対して突き合わせた状態にする。
【００４９】
具体的に執務者は、図４に示すように、カート装置１０を前後方向前方に走行させることによってテーブル什器ＴＪに接近させる。そして、カート装置１０の天板１４の下方に形成された前部空間ＦＳの内部にテーブル什器ＴＪの天板ＴＪａを挿入させ、挿入したテーブル什器ＴＪの天板ＴＪａがカート装置１０の支持基体１２に接触する位置まで、カート装置１０をテーブル什器ＴＪに接近させる。これにより、平面視においてカート装置１０の天板１４とテーブル什器ＴＪの天板ＴＪａとが重合するようにカート装置１０が配置されるので、テーブル什器ＴＪの周辺の空間がカート装置１０によって狭くなることを最低限に抑えることができる。
【００５０】
また、前述のように、カート装置１０の支持基体１２を構成する内側支柱１９は、その前後方向前方側に弾性部材からなるバンパー部材２０が設けられている。従って、テーブル什器ＴＪの天板ＴＪａが内側支柱１９に接触した時に生じる衝撃は、バンパー部材２０が弾性変形することによって吸収される。これにより、接触時の衝撃によってカート装置１０の支持基体１２やテーブル什器ＴＪの天板ＴＪａが破損することを、未然に防止することができる。
【００５１】
また、本実施形態に係るカート装置１０によれば、支持軸１６２を介して天板１４より上方に離間した位置にタブレットＰＣ１６４を配置したので、天板１４の物品載置面１４ａの上にタブレットＰＣ１６４を直接載置する場合と比較して、タブレットＰＣ１６４によって占領される面積が減る分、天板１４の物品載置面１４ａを広く利用することができるという利点がある。また、タブレットＰＣ１６４が天板１４より上方に配置されるため、物品載置面１４ａに載置された薬品等（不図示）が掛かることによってタブレットＰＣ１６４に故障が発生するのを未然に防止することができる。
【００５２】
尚、本実施形態では、テーブル什器ＴＪの周辺の省スペース化を図るべく、カート装置１０の天板１４をテーブル什器ＴＪの天板ＴＪａより高くして両者を平面視で重ね合わせたが、テーブル什器ＴＪの周辺に十分な広さのスペースが存在する場合には、カート装置１０の天板１４をテーブル什器ＴＪの天板ＴＪａと同じ高さにしてもよい。
【００５３】
他方、カート装置１０は、図５に示すように、その不使用時には内側支柱１９の大部分が外側支柱１８の内部に挿入された状態とされ、その天板１４の位置は、テーブル什器ＴＪの天板ＴＪａの位置より低くなっている。ここで、このカート装置１０をテーブル什器ＴＪの下に格納する場合、執務者は、図３（ａ）に二点鎖線で示すように、まず電子機器ユニット１６を構成する支持軸１６２を第一軸ＳＪ１周りに回動させて天板１４に平行するように倒伏した状態とすることにより、電子機器ユニット１６を折り畳んだ状態にする。そして、その状態においてカート装置１０をテーブル什器ＴＪに接近させる。そうすると、前述のようにカート装置１０はその天板１４の位置がテーブル什器ＴＪの天板ＴＪａの位置より低くなっているため、図５に示すように、テーブル什器ＴＪの天板１４の下方に形成された下部空間ＵＳに、カート装置１０の全体を格納することができる。
【００５４】
次に、本発明の実施形態に係るカート装置１０の通常使用時における種々の使用形態について説明する。図６は、カート装置１０の通常使用時における種々の使用形態を示す説明図である。
【００５５】
図６に示す第一の使用形態ＵＡは、執務者Ｍがカート装置１０の前後方向後方に位置した状態で電子機器ユニット１６を使用する形態を示している。この場合、執務者Ｍは、支持基体１２が天板ＴＪａに当接する位置まで、カート装置１０をテーブル什器ＴＪに対して突き合わせる。
【００５６】
そして、執務者Ｍは、前述のように、図３に示す支持軸１６２を第一軸ＳＪ１及び第二軸ＥＪの周りにそれぞれ回動させることにより、タブレットＰＣ１６４の表示面１６４ａを執務者Ｍの側に、すなわち前後方向後方側に向ける。更に、執務者Ｍは、図３に示すホルダ１６３を第三軸ＳＪ２の周りに回動させることにより、執務者Ｍの目線角度に応じてタブレットＰＣ１６４の表示面１６４ａの傾斜角度を適宜調整する。これにより、執務者Ｍは、カート装置１０の前後方向後方から、タブレットＰＣ１６４の表示面１６４ａを容易に視認することができる。
【００５７】
一方、図６に示す第二の使用形態ＵＢは、執務者Ｍがカート装置１０の左右方向に位置し、カート装置１０の天板１４とテーブル什器ＴＪの天板ＴＪａとの間で物品の積み降ろし等の作業を行いながら、電子機器ユニット１６を使用する形態を示している。この場合も、執務者Ｍは、支持基体１２が天板ＴＪａに当接する位置まで、カート装置１０をテーブル什器ＴＪに対して突き合わせる。
【００５８】
そして、執務者Ｍは、前述のように、図３に示す支持軸１６２を第一軸ＳＪ１及び第二軸ＥＪの周りにそれぞれ回動させることにより、タブレットＰＣ１６４の表示面１６４ａを執務者Ｍの側に、すなわち左右方向側へ向ける。更に、執務者Ｍは、図３に示すホルダ１６３を第三軸ＳＪ２の周りに回動させることにより、執務者Ｍの目線角度に応じてタブレットＰＣ１６４の表示面１６４ａの傾斜角度を適宜調整する。これにより、執務者Ｍは、カート装置１０の左右方向側から、タブレットＰＣ１６４の表示面１６４ａを容易に視認することができる。
【００５９】
ここで、前述のようにカート装置１０が収納部材１３を持たない構成の場合、執務者Ｍは、図２に示す前部空間ＦＳ及び後部空間ＲＳの内部に、自身の下肢Ｍｋを収容することができる。特に、図６に示すように、カート装置１０の左右方向に設置された椅子ＣＨに執務者Ｍが腰掛けている場合、執務者Ｍはその下肢Ｍｋの多くの部分を前部空間ＦＳ及び後部空間ＲＳに収容することができる。これにより、執務者Ｍはカート装置１０に近付いて作業を行いやすく、作業性が向上するという利点がある。
【００６０】
また、図６に示す第三の使用形態ＵＣは、第二の使用形態ＵＢと同様に、執務者Ｍがカート装置１０の左右方向に位置し、物品の積み降ろし等の作業を行いながら電子機器ユニット１６を使用する形態を示している。しかし、この第三の使用形態ＵＣでは、前述のようにカート装置１０の天板１４がテーブル什器ＴＪの天板ＴＪａと同じ高さに設定されている。これにより、カート装置１０をテーブル什器ＴＪに突き合わせた状態において、天板１４の縁部と天板ＴＪａの縁部とが互いに当接する。
【００６１】
この場合も、図６に示すように、執務者Ｍは第二の使用形態ＵＢと同様にして、タブレットＰＣ１６４の表示面１６４ａを左右方向側へ向けるとともに、表示面１６４ａの傾斜角度を適宜調整する。これにより、執務者Ｍは、カート装置１０の左右方向から、タブレットＰＣ１６４の表示面１６４ａを容易に視認することができる。また、この第三の使用形態ＵＣの場合も、執務者Ｍは、図２に示す前部空間ＦＳ及び図５に示す下部空間ＵＳに、自身の下肢Ｍｋの多くの部分を収容することができるため、カート装置１０に近付いて作業を行いやすく、作業性が向上するという利点がある。
【００６２】
尚、図６に詳細は示さないが、執務者Ｍは、カート装置１０をテーブル什器ＴＪに突き合わせることなく、カート装置１０の前後方向前方に位置した使用形態においても、タブレットＰＣ１６４の表示面１６４ａを前後方向前方に向けるとともに、その表示面１６４ａの傾斜角度を適宜調整する。これにより、執務者Ｍは、カート装置１０の前後方向前方から、タブレットＰＣ１６４の表示面１６４ａを容易に視認することができる。
【００６３】
（変形例）
尚、本実施形態に係るカート装置１０では、タブレットＰＣ１６４を第二軸ＥＪの周りに回動可能とするために、支持軸１６２を第二軸ＥＪの周りに回動可能としたが、これに代えて、タブレットＰＣ１６４を支持軸１６２の周りに回動可能としてもよい。
【００６４】
また、本実施形態に係るカート装置１０では、電子機器ユニット１６を構成する支持軸１６２を、天板１４の前後方向後端１４ｃから上方へ突出して設けたが、これに代えて、支持基体１２や操作ハンドル部１５から上方へ突出して支持軸１６２を設けてもよい。
【００６５】
尚、上述した実施形態において示した各構成部材の諸形状や組み合わせ、或いは動作手順等は一例であって、本発明の主旨から逸脱しない範囲において設計要求等に基づき種々変更可能である。
【符号の説明】
【００６６】
１０  カート装置
１１  ベース部
１１１  脚杆
１１２  キャスター
１２  支持基体
１３  収納部材
１４  天板
１４ａ  物品載置面
１４ｂ  前後方向前端
１４ｃ  前後方向後端
１５  操作ハンドル部
１５１  取付バー
１５２  操作バー
１６  電子機器ユニット
１６１  ヒンジ
１６２  支持軸
１６３  ホルダ
１６４  タブレットＰＣ
１６４ａ  表示面
１７  操作レバー部
１８  外側支柱
１９  内側支柱
２０  バンパー部材
２１  棚板
２１１  棚板本体
２１１ａ  物品載置面
２１２  棚板取付金具
２２  収納ボックス
２２１  ボックス本体
２２２  収納ボックス取付金具
ＣＨ  椅子
ＥＪ  第二軸
ＦＳ  前部空間
ＨＳ  ハンドル部空間
Ｍ  執務者
Ｍｋ  下肢
Ｐ  矢印
ＲＳ  後部空間
ＳＪ１  第一軸
ＳＪ２  第三軸
ＴＪ  テーブル什器
ＴＪａ  天板
ＵＡ  第一の使用形態
ＵＢ  第二の使用形態
ＵＣ  第三の使用形態
ＵＳ  下部空間
【図１】
2013017707.tif 000003
【図２】
2013017707.tif 000004
【図３】
2013017707.tif 000005
【図４】
2013017707.tif 000006
【図５】
2013017707.tif 000007
【図６】
2013017707.tif 000008